【手続補正書】
【提出日】平成26年9月9日(2014.9.9)
【手続補正１】
【補正対象書類名】特許請求の範囲
【補正対象項目名】全文
【補正方法】変更
【補正の内容】
【特許請求の範囲】
【請求項１】
媒体を搬送する搬送部と、
前記搬送部により搬送される前記媒体を読み取り、読み取り結果を出力する読取部と、
記録媒体に画像を記録し、前記記録媒体を切断することにより紙片を発行する紙片発行部と、
前記読取部の読み取り結果を反映した前記紙片の発行を指示する制御コマンドを受信する受信部と、
前記受信部により受信した前記制御コマンドに基づいて、第１バッファーに画像データを展開し、展開した前記画像データに基づいて、前記紙片発行部により前記記録媒体に画像を記録させ、前記記録媒体を切断させて前記紙片を発行させる紙片発行制御部と、を備え、
前記紙片発行制御部は、
前記第１バッファーへの前記画像データの展開に応じて、第２バッファーに、前記第１バッファーに展開された前記画像データをコピーし、
前記紙片の再発行の指示があった場合、前記第２バッファーにコピーされた前記画像データに基づいて、前記紙片発行部により前記記録媒体に画像を記録させ、前記記録媒体を切断させて前記紙片を再発行させることを特徴とする複合処理装置。
【請求項２】
前記制御コマンドには、前記記録媒体の切断を指示するカットコマンドが含まれ、
前記紙片発行制御部は、
前記受信部により前記制御コマンドの受信を開始した後、前記カットコマンドに基づいて前記記録媒体の切断が行われるまでに、前記第１バッファーに展開された前記画像データを、１つの前記紙片に記録すべき前記画像データとして前記第２バッファーにコピーし、
前記紙片の再発行の指示があった場合、
１つの前記紙片に記録すべき画像の前記画像データとして前記第２バッファーにコピーされた前記画像データに基づいて、前記紙片発行部により前記記録媒体に記録させることを特徴とする請求項１に記載の複合処理装置。
【請求項３】
前記紙片発行制御部は、
前記第２バッファーにコピーする前記画像データについて、再発行される前記紙片に記録されることを前提とした所定の加工を行うことを特徴とする請求項１又は２に記載の複合処理装置。
【請求項４】
指示入力を行うための１又は複数のスイッチを備え、
前記紙片発行制御部は、１又は複数の前記スイッチが所定の態様で操作されることにより、前記紙片発行部により前記紙片を再発行させることを特徴とする請求項１ないし３のいずれかに記載の複合処理装置。
【請求項５】
媒体を搬送する搬送部と、前記搬送部により搬送される前記媒体を読み取り、読み取り結果を出力する読取部と、記録媒体に画像を記録し、前記記録媒体を切断することにより紙片を発行する紙片発行部と、を備える複合処理装置の制御方法であって、
前記読取部の読み取り結果を反映した画像が記録された前記紙片の発行を指示する制御コマンドを受信し、
受信した前記制御コマンドに基づいて、第１バッファーに画像データを展開し、展開した前記画像データに基づいて、前記紙片発行部により前記記録媒体に画像を記録させ、前記記録媒体を切断させて前記紙片を発行させると共に、
前記第１バッファーへの前記画像データの展開に応じて、第２バッファーに、前記第１バッファーに展開された前記画像データをコピーし、
前記紙片の再発行の指示があった場合、前記第２バッファーにコピーされた前記画像データに基づいて、前記紙片発行部に前記記録媒体に画像を記録させ、前記記録媒体を切断させて前記紙片を再発行させることを特徴とする複合処理装置の制御方法。
【請求項６】
媒体を搬送する搬送部と、前記搬送部により搬送される前記媒体を読み取り、読み取り結果を出力する読取部と、記録媒体に画像を記録し、前記記録媒体を切断することにより紙片を発行する紙片発行部と、を備える複合処理装置の各部を制御する制御部により実行されるプログラムであって、
前記制御部を、
受信した前記読取部の読み取り結果を反映した画像が記録された前記紙片の発行を指示する制御コマンドに基づいて、第１バッファーに画像データを展開し、展開した前記画像データに基づいて、前記紙片発行部により前記記録媒体に画像を記録させ、前記記録媒体を切断させて前記紙片を発行させると共に、
前記第１バッファーへの前記画像データの展開に応じて、第２バッファーに、前記第１バッファーに展開された前記画像データをコピーし、
前記紙片の再発行の指示があった場合、前記第２バッファーにコピーされた前記画像データに基づいて、前記紙片発行部に前記記録媒体に画像を記録させ、前記記録媒体を切断させて前記紙片を再発行させる紙片発行制御部として機能させることを特徴とするプログラム。
【手続補正２】
【補正対象書類名】明細書
【補正対象項目名】０００５
【補正方法】変更
【補正の内容】
【０００５】
上記目的を達成するために、本発明は、媒体を搬送する搬送部と、前記搬送部により搬送される前記媒体を読み取り、読み取り結果を出力する読取部と、記録媒体に画像を記録し、前記記録媒体を切断することにより紙片を発行する紙片発行部と、前記読取部の読み取り結果を反映した前記紙片の発行を指示する制御コマンドを受信する受信部と、前記受信部により受信した前記制御コマンドに基づいて、第１バッファーに画像データを展開し、展開した前記画像データに基づいて、前記紙片発行部により前記記録媒体に画像を記録させ、前記記録媒体を切断させて前記紙片を発行させる紙片発行制御部と、を備え、前記紙片発行制御部は、前記第１バッファーへの前記画像データの展開に応じて、第２バッファーに、前記第１バッファーに展開された前記画像データをコピーし、前記紙片の再発行の指示があった場合、前記第２バッファーにコピーされた前記画像データに基づいて、前記紙片発行部により前記記録媒体に画像を記録させ、前記記録媒体を切断させて前記紙片を再発行させることを特徴とする。
この構成によれば、紙片の発行に際し、第１バッファーへの画像データの展開に応じて、第２バッファーに、第１バッファーに展開された画像データがコピーされ、紙片の再発行の指示があった場合、第２バッファーにコピーされた画像データに基づいて記録媒体に画像を記録し、記録媒体を切断して紙片を再発行する。このため、紙片の再発行にあたり、制御装置から紙片の再発行に係る制御コマンドを取得する必要が無く、制御装置との通信の状況等に影響されることなく迅速に紙片を発行可能である。
【手続補正３】
【補正対象書類名】明細書
【補正対象項目名】０００６
【補正方法】変更
【補正の内容】
【０００６】
また、本発明は、前記制御コマンドには、前記記録媒体の切断を指示するカットコマンドが含まれ、前記紙片発行制御部は、前記受信部により前記制御コマンドの受信を開始した後、前記カットコマンドに基づいて前記記録媒体の切断が行われるまでに、前記第１バッファーに展開された前記画像データを、１つの前記紙片に記録すべき前記画像データとして前記第２バッファーにコピーし、前記紙片の再発行の指示があった場合、１つの前記紙片に記録すべき画像の前記画像データとして前記第２バッファーにコピーされた前記画像データに基づいて、前記紙片発行部により前記記録媒体に記録させることを特徴とする。
この構成によれば、１つの紙片を発行するための制御コマンドにおける最後のコマンドが記録媒体の切断を指示するカットコマンドであるという特性を利用して、紙片ごとに、画像データを第２バッファーにコピーすることが可能となり、紙片の再発行に際し、記録すべき画像を過不足無く紙片に記録することが可能となる。
【手続補正４】
【補正対象書類名】明細書
【補正対象項目名】０００７
【補正方法】変更
【補正の内容】
【０００７】
また、本発明は、前記紙片発行制御部は、前記第２バッファーにコピーする前記画像データについて、再発行される前記紙片に記録されることを前提とした所定の加工を行うことを特徴とする。
この構成によれば、第２バッファーにコピーされる画像データについて、再発行される紙片に記録されることを前提とした所定の加工が行われるため、再発行する紙片について、再発行されたものであることを認識できるような態様で画像を記録することが可能となる。
【手続補正５】
【補正対象書類名】明細書
【補正対象項目名】０００８
【補正方法】変更
【補正の内容】
【０００８】
また、本発明は、指示入力を行うための１又は複数のスイッチを備え、前記紙片発行制御部は、１又は複数の前記スイッチが所定の態様で操作されることにより、前記紙片発行部により前記紙片を再発行させることを特徴とする。
この構成によれば、再発行のための専用のスイッチを設けることなく、既存のスイッチを利用して再発行を指示できるようにすることができるため、製造コストを低減することができる。
【手続補正６】
【補正対象書類名】明細書
【補正対象項目名】０００９
【補正方法】変更
【補正の内容】
【０００９】
また、上記目的を達成するために、本発明は、媒体を搬送する搬送部と、前記搬送部により搬送される前記媒体を読み取り、読み取り結果を出力する読取部と、記録媒体に画像を記録し、前記記録媒体を切断することにより紙片を発行する紙片発行部と、を備える複合処理装置の制御方法であって、前記読取部の読み取り結果を反映した画像が記録された前記紙片の発行を指示する制御コマンドを受信し、受信した前記制御コマンドに基づいて、第１バッファーに画像データを展開し、展開した前記画像データに基づいて、前記紙片発行部により前記記録媒体に画像を記録させ、前記記録媒体を切断させて前記紙片を発行させると共に、前記第１バッファーへの前記画像データの展開に応じて、第２バッファーに、前記第１バッファーに展開された前記画像データをコピーし、前記紙片の再発行の指示があった場合、前記第２バッファーにコピーされた前記画像データに基づいて、前記紙片発行部に前記記録媒体に画像を記録させ、前記記録媒体を切断させて前記紙片を再発行させることを特徴とする。
この制御方法によれば、紙片の発行に際し、第１バッファーへの画像データの展開に応じて、第２バッファーに、第１バッファーに展開された画像データがコピーされ、紙片の再発行の指示があった場合、第２バッファーにコピーされた画像データに基づいて記録媒体に画像を記録し、記録媒体を切断して紙片を再発行する。このため、紙片の再発行にあたり、制御装置から紙片の再発行に係る制御コマンドを取得する必要が無く、制御装置との通信の状況等に影響されることなく迅速に紙片を発行可能である。
【手続補正７】
【補正対象書類名】明細書
【補正対象項目名】００１０
【補正方法】変更
【補正の内容】
【００１０】
また、上記目的を達成するために、本発明は、媒体を搬送する搬送部と、前記搬送部により搬送される前記媒体を読み取り、読み取り結果を出力する読取部と、記録媒体に画像を記録し、前記記録媒体を切断することにより紙片を発行する紙片発行部と、を備える複合処理装置の各部を制御する制御部により実行されるプログラムであって、前記制御部を、受信した前記読取部の読み取り結果を反映した画像が記録された前記紙片の発行を指示する制御コマンドに基づいて、第１バッファーに画像データを展開し、展開した前記画像データに基づいて、前記紙片発行部により前記記録媒体に画像を記録させ、前記記録媒体を切断させて前記紙片を発行させると共に、前記第１バッファーへの前記画像データの展開に応じて、第２バッファーに、前記第１バッファーに展開された前記画像データをコピーし、前記紙片の再発行の指示があった場合、前記第２バッファーにコピーされた前記画像データに基づいて、前記紙片発行部に前記記録媒体に画像を記録させ、前記記録媒体を切断させて前記紙片を再発行させる紙片発行制御部として機能させることを特徴とする。
このプログラムを実行すれば、紙片の発行に際し、第１バッファーへの画像データの展開に応じて、第２バッファーに、第１バッファーに展開された画像データがコピーされ、紙片の再発行の指示があった場合、第２バッファーにコピーされた画像データに基づいて記録媒体に画像を記録し、記録媒体を切断して紙片を再発行する。このため、紙片の再発行にあたり、制御装置から紙片の再発行に係る制御コマンドを取得する必要が無く、制御装置との通信の状況等に影響されることなく迅速に紙片を発行可能である。